(57)【要約】【課題】  多くの家屋では、床から天井までの高さは千差万別でバラツキがあり、その隙間空間に柔軟に対応出来、構造が簡単で扱いが容易であって、しかも耐震性に優れた家具の現出が望まれている。【解決手段】  正面には扉２ａ、２ｂを取付け、天井面を開放した本体１と、この本体１内に挿入できる外形寸法で形成され、天井材１４、裏面材１３と、左右の側面材１２ａ、１２ｂと、正面上端部に表面材１１を備え、底面を開放した内箱１０とを用い、内箱１０を天井材１４を上にして本体１に勘合させ、内箱１０を隙間空間に応じて上げ下げし、隙間を塞ぐ位置で締結部材にて内箱１０を本体側面材３ａ、３ｂに一体化したものである。【選択図】        図１
2006325693.tif 000002
【特許請求の範囲】
【請求項１】
天井面が開放された箱型形状であって、正面は扉を取り付けた本体と、
前記本体内に挿入出来る外形寸法で形成され、天井材と、裏面材と、２つの側面材と、選択した高さを有する表面材を正面上端部に備え、底面が開放された内箱とより構成し、
前記内箱を天井材を上にして前記本体に勘合させてなる耐震家具。
【請求項２】
前記内箱の２つの側面材に貫通孔を形成し、内箱をせり上げた後、この貫通孔を介して、内箱を本体側面材に締結部材にて一体化したことを特徴とする請求項１記載の耐震家具。
【請求項３】
前記内箱の表面板と２つの側面材は、本体と同一材料で形成したことを特徴とする請求項１記載の室内自立型家具。
【請求項４】
前記内箱の２つの側面材と裏面材のうち、どちらか一方あるいは全ての面材の高さ方向に複数の貫通孔を形成したことを特徴とする請求項１記載の耐震家具。
【請求項５】
前記内箱の２つの側面材と裏面材のうち、どちらか一方あるいは全ての面材の高さ方向に複数の貫通孔を複数列に形成したことを特徴とする請求項１記載の耐震家具。
【請求項６】
前記内箱の２つの側面材と裏面材のうち、少なくとも２つの側面材の高さを、前記表面材の高さより高くなるように形成したことを特徴とする請求項１記載の耐震家具。
【請求項７】
前記内箱の２つの側面材と裏面材のうち、少なくとも２つの側面材の高さを、内箱を本体に挿入、勘合させた際に、内箱の天井材頂部と本体開放面頂部とがほぼ同一面上となるように形成したことを特徴とする請求項１記載の耐震家具。
【請求項８】
前記本体の２つの側面材と裏面材に、前記内箱の２つの側面材と裏面材に形成した貫通孔と対応出来る位置に固着孔を形成したことを特徴とする請求項２乃至請求項５記載の耐震家具。
【請求項９】
前記内箱の天井材上にクッション材を取付けたことを特徴とする請求項１乃至請求項８記載の耐震家具。
【発明の詳細な説明】
【技術分野】
【０００１】
本発明は、耐震家具に係り、特に、大型家具の上部に載置され、大型家具と天井との間に形成される空間を塞ぎ、地震等の際に発生する縦揺れや横揺れを受けても転倒する恐れが少ない優れた構造を有する耐震家具に関するものである。
【背景技術】
【０００２】
一般家庭では洋服ダンスや食器棚を含め多くの家具を保有しているが、そのうちの多くの家具の上部と家屋の天井との間には隙間が形成されている。
そして近年、地震に対する危険意識の向上から家具の転倒防止に関心が高まり、固定金具を購入して、家具の上部を壁に、あるいは天井に固定することが行われている。
【０００３】
しかしながら、このような固定金具を使用する場合には、ねじ等の締結部材を家具や壁、天井にねじ込むことから、家屋の壁や天井を傷つける不都合があった。
また、マンション等の構造では壁、天井はコンクリート材で作られており、その硬さに抗してねじ込む必要があることから、特別な道具や特殊なねじ材を必要とするなど、一般家庭では容易には家具を固定するためのねじ込み作業を行えない不都合があった。
【０００４】
したがって、一旦、家具を壁や天井に固定した場合、その後の室内の模様替えの際の移動や、引越しの際の固定金具の取外しが容易ではなくなり、この種の家具転倒防止構造の改良が望まれていた。
また、一般家庭、あるいは事務所等の居室での床から天井までの高さは、建築年代やその様式、構造により千差万別であることから、家具の上部と天井との間に形成される隙間空間にバラツキがあり、これらの隙間空間に柔軟に対応して載置出来、その扱いが容易で、かつ耐震性に優れた家具の現出が望まれている。
【０００５】
この種の家具の転倒を防止する構造を記載する文献としては次のようなものがある。
【特許文献１】特開平１０−９４４４７
【特許文献２】特開２０００−３０８５４２
【発明の開示】
【発明が解決しようとする課題】
【０００６】
しかしながら、特許文献１に開示された構造では、高さ調整は可能としても、正面が開放されていることから家具としての機能を配慮した構造ではなく、一般家庭に設置した場合、収納した物品が露出してしまうことから好ましい美観を得ることは出来ず、また、同様に、正面が開放された構造であることから、地震の際の横揺れや縦揺れに対する耐震性の機能に対しても不安があるものであった。さらに  扉を取り付けた場合、家具の設置施工後に扉の寸法が確定するので、事前の製作が出来ないため、利便性に優れず、天井面の高さが異なる場所に移動設置が困難になる。
また、特許文献２に開示される構造では、多くの構成部材を必要とすることからその構造は複雑さを招き、それに連れて組立工数も多く必要とするので、価格面で高いものになる恐れがあるものであった。
【課題を解決するための手段】
【０００７】
本発明では上記課題を解決するために、家具の設置後に形成される家具の上部から天井までのバラツキある隙間空間に対して家具としての機能を損なわずに柔軟に対応出来、美観に優れ、構成部材が少なく構造が簡単で、移動が容易であって、しかも耐震性に優れた安価な家具の実現を可能とするものである。
【０００８】
具体的には、正面には扉を取付け、天井面を開放した箱体の本体と、この本体内に挿入できる外形寸法で形成され、天井材、裏面材と、左右の側面材と、正面上端部に表面材を備え、底面を開放した内箱とを用い、内箱を天井材を上にして本体内に勘合させ、その後、内箱を天井との隙間空間に応じて上げ下げし、隙間を塞ぐ位置で締結部材、例えば木ねじで内箱を本体側面材に固着し、一体化することで実現したものである。
【発明の効果】
【０００９】
本発明によれば、家屋、特に壁や天井との接合手段を必要とせずに、しかも簡単な構造にも拘らず、家具を床と天井の両面の面接触で支える構造を実現出来たので、地震等に対して家具の転倒防止機能を得ることが出来る。
【００１０】
また、本発明では、家屋の天井を加圧し、突っ張る構造でなく、天井や壁等との接合箇所を必要としない自立型の構造であるので、家具の水平方向への移動は簡単で、家具裏面、あるいは家具側面と壁との隙間の掃除も容易に実現出来る。
また、本発明では、家屋の壁や天井に全く傷を付けずに済むので、賃貸住宅の引越し時にありがちなトラブル、具体的には家主からの壁や天井の修繕費用の請求を受ける無用なトラブルの発生も抑えることが出来る。
【００１１】
更に、内箱を家具設置後の天井との隙間の分だけせり上げることで、天井との間にあった隙間空間のほぼ全てをなくすことが出来、同時に家具としての収納可能空間の増加を実現し、収納する物品を露出させることなく収納家具として要求される機能を満たすことを実現した優れた効果を期待出来る家具を提供することが出来る。
【発明を実施するための最良の形態】
【００１２】
以下、図を参照して、本発明の実施の形態について説明する。
【００１３】
図１は、本発明の耐震家具の実施例を示す正面図、図２はその側面図であり、図３はその一部断面図であり、内箱を本体内に挿入して組合わせ、勘合することで実現出来る。
【００１４】
これらの図において、１は家具の箱体（以下、本体と称す）で、正面には、両開きの扉２ａ、２ｂが取付けられている。３ａ、３ｂは本体１の側面材であり、４は裏面材である。また、５は底面材であり、これら扉２ａ、２ｂ、側面材３ａ、３ｂ、裏面材４、底面材５で天井面が開放された本体１を形成している。
また、６は本体１の正面上端部に側面材３ａ、３ｂに渡された正面材であって、本体１の強度を補強する等の役割を持っている。
【００１５】
１０は本発明の特徴部分である内箱で、表面材１１、左右の側面材１２ａと１２ｂ、裏面材１３、及び天井材１４より形成され、上記本体１とは逆に底面が開放されている。
また、１５はクッション材で、天井（図示せず）に接触する天井材１４の接触面に必要により貼付されるものであり、また、表面材１１は、天井側正面に配置され、内箱１０正面を塞ぐ位置に配置されている。
【００１６】
この時の各構成部材により形成される内箱１０の外寸法は、前記本体１に勘合できるように、その内寸法とほぼ同じとなるよう形成される。
【００１７】
また、各構成部材の材質、特に表面材１１と側面材１２ａ、１２ｂの材質は、上記本体１の扉２ａ、２ｂと側面材３ａ、３ｂの材質と同一材料で形成されている。
これにより、その後の使用状態では、本体１と内箱１０との表面と側面が同じ外観となり、結果、家具として違和感なく、優れた美観を提供することが可能となるのである。
【００１８】
本発明に係る耐震家具は、以上のように形成された本体１と内箱１０を組合わせ、勘合して使用することで実現できる。
先ず、天井面が開放された本体１の上から、底面が開放された内箱１０を挿入、勘合して、組合わせる。この時、内箱１０はその外形寸法が本体１の内寸法とほぼ同じであることから、ガタつくことなく挿入、勘合させることが出来る。
【００１９】
その後、家屋の天井面（図示せず）と本体１の頂部との間に形成されている隙間空間に応じた分だけ、本体１に勘合している内箱１０をせり上げる。
この時の内箱１０のせり上げ量は、内箱１０の天井材１４が家屋の天井（図示せず）を圧迫せずにクッション材１５を介して接する程度の位置で充分である。
【００２０】
次いで、締結部材、ここでは木ねじ２０を用い、内箱の側面材１２ａ、１２ｂと、それぞれに対面する本体１の側面材３ａ、３ｂとを固着して一体化とすることで、耐震家具が完成する。
【００２１】
この時、側面材１２ａ、１２ｂには、案内孔としてあらかじめ側面材を貫通させた貫通孔（図示せず）を開けておき、この貫通孔に上記木ねじ２０を挿入し、側面材３ａ、３ｂにねじ込むことで、内箱１０は本体１とそれぞれの側面材１２ａ、１２ｂと側面材３ａ、３ｂを介して一体化出来る。
この一体化のためのねじ込み作業であるが、これは本体１と内箱１０が屋内の天井あるいは壁との接合箇所が全くない作業であり、これにて組立て作業は終了し、自立した耐震家具として完成する。
【００２２】
《その他の変形例》
また、前記実施例での内箱の裏面材と２つの側面材うち、少なくとも２つの側面材の高さを、内箱を本体に勘合させた際に、内箱の天井材頂部と本体開放面頂部とがほぼ同一面上となるように形成する構造であっても本発明の所期の目的を達成出来る。
この場合、内箱１０の表面材１１の高さは、選択した高さ、ここでは収納品の出し入れに支障が起きないように側面材１２ａ、１２ｂの高さより十分に低い高さで形成することになる。また、裏面材１３の高さは、上記表面材１１より高く、側面材１２ａ、１２ｂの高さまでの範囲で選択され形成することで、内箱１０をせり上げて使用しても収納家具としての密閉構造を損ねることはない。
【００２３】
このような構造とすることで、設置場所、ここでは天井との隙間空間がほぼ本体の高さと同等の場合や、特に内箱１０のせり上げを必要しない場合には、内箱１０をせり上げずにそのまま設置すればよく、この場合でも収納家具としての機能を損なうことはなく、違和感なく設置出来るのである。
そして、引越しや室内の模様替え等により天井高さが高くなった室内になった場合には、家具を移動した再設置後、内箱１０を改めて天井高さに合わせてせり上げし、ネジ等の締結手段にて本体に固着することで、一体化し耐震性に優れた構造を提供出来る。
【００２４】
また、これまでの説明では、本体１と内箱１０の面接触する側面材同士を木ねじ２０で一体化したが、その他、本体の裏面材４と内箱の裏面材１３の裏面材同士を締結部材を用いて一体化する構造や、側面材と裏面材の全てを用いて一体化する構造であってもよく、本発明の所期の効果を損ねることはない。
むしろ、側面材と裏面材の全てを用いて一体化する構造であれば、家具正面以外の３面が締結部材によりしっかり固着され一体化出来るので、地震等に対する耐震性は増すことになる。
【００２５】
また、内箱１０の側面材１２ａ、１２ｂに貫通孔を形成したが、本体１の側面材３ａ、３ｂに、この貫通孔に対向する位置にあらかじめ固着用のネジ孔（図示せず）を形成し、あるいは埋め込み孔として形成しておくことで、一体化の際のねじ込み作業を力のない弱者でも可能となる等、一体化作業及び分離作業をより簡単化することが出来、使用者に優しい優れた製品を提供出来る。
【００２６】
また、この時、内箱１０の側面材１２ａ、１２ｂに形成する貫通孔と、本体１の側面材の固着用のネジ孔を、高さ方向に一定間隔で複数形成することで、家屋の天井との隙間の広さに応じて臨機応変にせり上げ量を調節出来、しかも容易に一体化作業を実現することが出来る。
【００２７】
また、締結部材として記載した木ねじ２０は、その他の材質、例えば合金を含む金属材や、強度を満足できればプラスチック等の樹脂材であってもよいことは説明するまでもない。
【００２８】
また、前記内箱１０の２つの側面材には、必要によりその高さ方向に複数の貫通孔を形成したり、更に複数列形成することで、固着箇所が増し、本体１の側面材との密着性が増し、耐震強度を高めることが出来る。
更に、上記２つの側面材に加え、裏面材にも貫通孔を形成し、本体１との固着場所を増すことで、更なる耐震強度の向上が期待出来る。
【００２９】
また、本体１と内箱１０の一体化に使用するねじは皿ねじとし、内箱１０の貫通孔には溝を切っておくことで、接合後にねじの頂部が内箱内に突出しないので、収納する物品の出し入れの際、収納物品に傷をつける恐れを防止出来る。
【００３０】
また、内箱１０の天井に接触する天井材の接触面に、必要により軟らかいクッション材１５を貼付することで、地震等による横揺れ、縦揺れに伴う振動が加わったとしても天井に傷をつける恐れを軽減することが出来る。
【産業上の利用可能性】
【００３１】
本発明に関わる耐震家具は、あらかじめ大型家具と組合わせ、大型家具上に載置する組合わせの形態で実施することは説明するまでのない事項である。その場合には、その材質も大型家具の外形寸法と同じに、また材質も同一とすることで家具全体の美観を損ねる心配がなく、むしろ本発明の所期の効果を損ねずに収納家具としての差別化が図れ、結果として、その商品価値を増大させ、商品の拡販材料として有効なものとして作用することが期待出来る。
【００３２】
また、これまでの説明では、大型家具上に載置するものとしたが、本発明ではこれに留まらず、大型家具そのものに内箱を勘合する構造を形成しても従来の課題を解決し、所期の効果を得ることが出来ることは、当然の事項である。
【図面の簡単な説明】
【００３３】
【図１】本発明における実施の形態に係る耐震家具の正面図である。
【図２】本発明における実施の形態に係る耐震家具の側面図である。
【図３】本発明における主要部を説明するための一部断面図である
【符号の説明】
【００３４】
１    本体
２ａ、２ｂ  扉
３ａ、３ｂ  側面材
４   裏面材
５   底面材
６   正面材
１０   内箱
１１   表面材
１２ａ、１２ｂ 側面材
１３    裏面材
１４   天井材
１５    クッション材
２０    木ねじ
【図１】
2006325693.tif 000003
【図２】
2006325693.tif 000004
【図３】
2006325693.tif 000005